(57)【要約】【課題】付加価値情報を提供するとともに、それを提供した後においても利用することができるジグソーパズルと、付加価値が付与されていることを強く訴え、購入意欲をそそらせるパッケージを提供する。【解決手段】絵柄片と縁部と台紙を有するジグソーパズルであって、前記絵柄片は、前記台紙と重ね合せた状態では前記台紙の重ね合せ面を隠蔽し、前記縁部は前記台紙と一体となっており、前記台紙は前記絵柄片との重ね合せ面に付加価値情報が印刷されているようにしたジグソーパズル、およびそのジグソーパズルが添付されているようにしたパッケージ。ここで付加価値情報は、当たりくじ、おみくじ、ポイント、豆知識、広告のすくなくとも１つを含む情報である。【選択図】　図１
2004033448.tif 000002
【特許請求の範囲】
【請求項１】
絵柄片と縁部と台紙を有するジグソーパズルであって、前記絵柄片は前記台紙と重ね合せた状態では前記台紙の重ね合せ面を隠蔽し、前記縁部は前記台紙と一体となっており、前記台紙は前記絵柄片との重ね合せ面に付加価値情報が印刷されていることを特徴とするジグソーパズル。
【請求項２】
請求項１記載のジグソーパズルにおいて、前記付加価値情報は、当たりくじ、おみくじ、ポイント、豆知識、広告のすくなくとも１つを含む情報であることを特徴とするジグソーパズル。
【請求項３】
請求項１または２記載のジグソーパズルにおいて、前記絵柄片は隣接する他の絵柄片および／または前記縁部と部分的に結合しており、その結合は最初の使用により不可逆的に破壊されることを特徴とするジグソーパズル。
【請求項４】
請求項１〜３のいずれかに記載のジグソーパズルが添付されていることを特徴とするパッケージ。
【発明の詳細な説明】
【０００１】
【発明の属する技術分野】
本発明は、絵柄片を所定の場所から移動したときに、その場所に印刷されている付加価値情報が露出されるジグソーパズルと、そのジグソーパズルが添付されたパッケージに関する。
【０００２】
【従来技術】
従来、食品等のパッケージに付加価値を付与する場合、その情報（当たり外れ、等）をそのパッケージに印刷しておきシール等で隠蔽しておく方式が一般的である。パッケージの購入後にシールを剥がすとその隠蔽された付加価値情報が露出され、購入者はその情報に対応する付加価値を獲得することができる。
【０００３】
【発明が解決しようとする課題】
しかし、シールを剥がして情報が提供された後には、その剥がしたシールやパッケージの２次利用は全く考えられないことである。また、そのパッケージが付加価値を付与した特別なパッケージであるのに、そのことを強く訴え購入意欲をそそらせるものではない。
【０００４】
本発明は上記の問題を解決するためになされたものである。その目的は、付加価値情報を提供するとともに、それを提供した後においても利用することができるジグソーパズルを提供することにある。また、付加価値が付与されていることを強く訴え、購入意欲をそそらせるパッケージを提供することにある。
【０００５】
【課題を解決するための手段】
上記課題は下記の本発明によって解決される。すなわち、
本発明の請求項１に係るジグソーパズルは、絵柄片と縁部と台紙を有するジグソーパズルであって、前記絵柄片は前記台紙と重ね合せた状態では前記台紙の重ね合せ面を隠蔽し、前記縁部は前記台紙と一体となっており、前記台紙は前記絵柄片との重ね合せ面に付加価値情報が印刷されているようにしたものである。本発明によれば、絵柄片と台紙とを重ね合せた状態では台紙の重ね合せ面が隠蔽されるが、重ね合せない状態ではその重ね合せ面に印刷された付加価値情報が露出する。したがって、付加価値情報を提供するとともに、それを提供した後においても利用することができるジグソーパズルが提供される。
【０００６】
また本発明の請求項２に係るジグソーパズルは、請求項１に係るジグソーパズルにおいて、前記付加価値情報は、当たりくじ、おみくじ、ポイント、豆知識、広告のすくなくとも１つを含む情報であるようにしたものである。本発明によれば、当たりくじ、おみくじ、ポイント、豆知識、広告のすくなくとも１つが付加価値情報となる。
【０００７】
また本発明の請求項３に係るジグソーパズルは、請求項１または２に係るジグソーパズルにおいて、前記絵柄片は隣接する他の絵柄片および／または前記縁部と部分的に結合しており、その結合は最初の使用により不可逆的に破壊されるようにしたものである。本発明によれば、付加価値情報を読み取ろうとすれば必然的に結合の破壊が生じ、その結合の破壊を元に戻すことはできなくなる。したがって、付加価値情報が読み取られたジグソーパズルであるか否かがそれ自身によって示される。
【０００８】
また本発明の請求項４に係るパッケージは、請求項１〜３のいずれかに係るジグソーパズルが添付されているようにしたものである。本発明によれば、ジグソーパズルが添付されたことによって、付加価値が付与されていることを強く訴え、購入意欲をそそらせるパッケージが提供される。
【０００９】
【発明の実施の形態】
次に、本発明について実施の形態を説明する。本発明のジグソーパズルにおける構成について説明する。図１に本発明のジグソーパズルの構成を示す。図１において、１０は上面部材、１１ａ，１１ｂ，１１ｃ，・・・は絵柄片、１２は縁部、２０は下面部材、２１は重ね合せ面、２２は付加価値情報である。
【００１０】
ジグソーパズルは、図１（Ｂ）に示すように、上面部材（絵柄片と縁部）１０と下面部材（台紙）２０を重ね合わせた構成を有する。上面部材１０の表面、すなわちジグソーパズルの表面には、一般的に絵柄（図示せず）が印刷されている。上面部材１０は複数の絵柄片１１ａ，１１ｂ，１１ｃ，・・・と縁部１２とから成る。上面部材１０の絵柄片１１ａ，１１ｂ，１１ｃ，・・・と下面部材２０とは、接着しておらず分離することができる。一方、上面部材１０の縁部１２と下面部材２０とは、接着して一体化しており分離することができない。
【００１１】
絵柄片１１ａ，１１ｂ，１１ｃ，・・・は、上面部材１０に切り込みを入れることにより個々に分離することができるようにしたものである。ただし、製品出荷時点においては輸送中に外れることがないように、また不正に付加価値情報が読み取られることがないように仮結合または仮接着される。たとえば、絵柄片１１ａ，１１ｂ，１１ｃ，・・・は隣接する他の絵柄片と部分的に結合または接着しておく。また、絵柄片１１ａ，１１ｂ，１１ｃ，・・・は縁部１２と隣接する場合には縁部１２と部分的に結合または接着しておく。そして、その結合または接着は最初の使用により不可逆的に破壊されるようにする。
【００１２】
仮結合は、たとえば、絵柄片１１ａ，１１ｂ，１１ｃ，・・・を個々に分離する切り込みにおいて、切り込みの不完全な部分を設けることによって得ることができる。仮接着は、たとえば、絵柄片１１ａ，１１ｂ，１１ｃ，・・・を個々に分離する切り込みは完全にしておくが接着剤により部分的に接着させることによって得ることができる。図１（Ａ）には絵柄片１１ａ，１１ｂ，１１ｃ，・・・のすべてが仮結合または仮接着している状態が示されている。また、図１（Ｃ）には絵柄片１１ａ，１１ｂ，１１ｃ，・・・の一部（中央部）が外されている状態が示されている。
【００１３】
一方、下面部材２０は、そこに載せた絵柄片１１ａ，１１ｂ，１１ｃ，・・・を平面内に保持することができる台紙である。下面部材２０は、上面部材１０の縁部１２を接着により一体化している。個々に分離した絵柄片１１ａ，１１ｂ，１１ｃ，・・・は、下面部材２０を底とし、縁部１２を枠とする凹形状体の凹部に再配置することができる。そのとき、すべての絵柄片１１ａ，１１ｂ，１１ｃ，・・・の配置が適正なときに限って隙間なく重なることなく配置することができる。また、配置が適正なときに限ってジグソーパズルの表面に印刷された絵柄（図示せず）が正常な絵柄として再現される。
【００１４】
図１（Ａ）に示すように、すべての絵柄片１１ａ，１１ｂ，１１ｃ，・・・が適正に配置されている状態においては、下面部材２０の重ね合せ面に印刷された付加価値情報２２（図１（Ｃ）参照）は、完全に隠蔽されている。したがって、ジグソーパズルが正常な絵柄を表示する状態で販売または販売品に添付されるならば、購入する前においては付加価値情報２２を読みとることができない。
【００１５】
一方、図１（Ｃ）においては、絵柄片１１ａ，１１ｂ，１１ｃ，・・・の内でジグソーパズルの中央部に存在するものが外されている。その外されたことによって、下面部材２０の重ね合せ面に印刷された付加価値情報２２が露出する。すなわち、購入することによって、絵柄片１１ａ，１１ｂ，１１ｃ，・・・を外すことが可能となって、始めて付加価値情報２２を読み取ることができる。
【００１６】
次に、上述のジグソーパズルとパッケージとを組合せて行なわれる付加価値情報２２の提供について図２を参照して説明する。図２において、ジグソーパズル１００は絵柄片が適正に配置された完成状態であって、その表面には絵柄（富士山）が印刷されている。この状態では付加価値情報を見せないから、ジグソーパズル１００は消費者の購買意欲を掻き立てるアイテムとなる。
【００１７】
このジグソーパズル１００をカップ麺２００に添付する。添付の形態はパッケージの形態によって適正な方法がとられる。たとえば、図２に一例を示すようにカップ麺２００のパッケージであれば、一般的に乾燥麺等を収容するカップの外装として透明なフィルム包装が施されている。このカップとフィルム包装との間にジグソーパズル１００を配置する。
【００１８】
このようにジグソーパズル１００を配置してカップ麺２００に添付することにより、今度はカップ麺２００に付加価値が付与されれることとなる。すなわち、カップ麺２００そのものが消費者の購買意欲を掻き立てるアイテムとなる。ジグソーパズル１００そのものも、またその表面に印刷された絵柄そのものも、消費者に強く訴えるものである。したがって、それを添付したカップ麺２００は、付加価値が付与されていることを強く訴え、消費者の購入意欲をそそらせるパッケージとなる。
【００１９】
また、このようにジグソーパズル１００を配置しカップ麺２００に添付したときには、それらの付加価値情報はカップ麺２００のフィルム包装を取り除いて、絵柄片を外すことによって始めて露出することができる（図３参照）。
【００２０】
次に、上述した付加価値情報の内容について図３を参照して説明する。図３には、付加価値情報の一例が箇条書きで挙げられている。図３に示すように、当たりくじ、ポイント、おみくじ、豆知識、広告のすくなくとも１つを含む情報を付加価値情報とすることができる。それらの付加価値情報は、下面部材における上面部材との重ね合せ面に印刷表示される。ジグソーパズルであれば、台紙の重ね合せ面に、文字列、絵柄、等によって印刷表示される。
【００２１】
当たりくじの付加価値情報は、たとえば「当たり」、「外れ」、「一等賞」、「二等賞」、「○○（商品）引換券」等の形態で提供される。また、ポイントの付加価値情報は数値であるが、数値が印刷されたジグソーパズルを集めることによってポイントを貯めて応募することにより、プレミアムを獲得できるようにする。また、おみくじ、豆知識の付加価値情報は、消費者にそれなりの楽しみを与える。また、広告の付加価値情報は、スーパー、コンビニ等の取扱い会社、取扱い商品の広告にとどまらず、「○○（商品）割引券」等の形態で提供される。
【００２２】
これらの付加価値情報は単独の情報に限定されず複数を組合せることができる。たとえば、ポイントと豆知識を組合せることができる。またたとえば、当たりくじと広告とを組合せることができる。
なお本発明における付加価値情報は、付加価値に関する情報であれば何でもよく、上述した一例だけに限定されない。
【００２３】
【発明の効果】
以上のとおりであるから、本発明の請求項１に係るジグソーパズルによれば、付加価値情報を提供するとともに、それを提供した後においても利用することができるジグソーパズルが提供される。
また本発明の請求項２に係るジグソーパズルによれば、当たりくじ、おみくじ、ポイント、豆知識、広告のすくなくとも１つが付加価値情報となる。
また本発明の請求項３に係るジグソーパズルによれば、付加価値情報が読み取られたジグソーパズルであるか否かをそれ自身によって示すことができる。
また本発明の請求項４に係るパッケージによれば、ジグソーパズルが添付されたことによって、付加価値が付与されていることを強く訴え、購入意欲をそそらせるパッケージが提供すされる。
【図面の簡単な説明】
【図１】本発明のジグソーパズルにおける構成を示す説明図である。
【図２】ジグソーパズルとパッケージとを組合せて行なわれる付加価値情報の提供についての説明図である。
【図３】本発明における付加価値情報の内容についての説明図である。
【符号の説明】
１０　上面部材
１１ａ，１１ｂ，１１ｃ，・・・　絵柄片
１２　縁部
２０　下面部材
２１　重ね合せ面
２２　付加価値情報
１００　ジグソーパズル
２００　カップ麺
【図１】
2004033448.tif 000003
【図２】
2004033448.tif 000004
【図３】
2004033448.tif 000005